(57)【特許請求の範囲】
【請求項１】
電子ビームを走査する走査手段と、電子ビームが走査された試料から発せられる電子を検出する電子検出器を有し、該電子検出器からの検出結果に基づき走査電子像を得る走査型電子顕微鏡と、照明光を射出する発光源を有し、前記試料に照明光を照射して該試料からの反射光を受光して光学像を得る光学顕微鏡と、前記走査型電子顕微鏡、前記光学顕微鏡の作動を制御する制御部とを具備し、
前記電子検出器は電子／光変換する蛍光体層と、該蛍光体層からの蛍光の波長帯域の全て或は略全てが透過する様に制限した波長フィルタと、該波長フィルタを透過した前記蛍光を受光し、光／電気変換する波長検出素子を有し、前記照明光の前記波長フィルタを透過する波長帯域の光量が前記走査電子像の劣化限度を超えない様にし、
前記光学顕微鏡の照明光学系が照明用波長選択フィルタを有し、前記発光源はＬＥＤであり、前記照明用波長選択フィルタは、前記波長フィルタの透過波長帯に対応する波長の透過率を制限し、前記波長フィルタの不透過波長帯に対応する波長を透過し、
前記制御部は、前記光学顕微鏡が取得する光学画像の波長帯の内、前記照明用波長選択フィルタを透過した波長帯を増幅し、色調補正することを特徴とする電子顕微鏡装置。
【発明の詳細な説明】
【技術分野】
【０００１】
本発明は試料の走査電子像と光学像を観察できる電子顕微鏡装置、特に電子走査中に同時に光学像の観察を可能とした電子顕微鏡装置に関するものである。
【背景技術】
【０００２】
走査型電子顕微鏡（ＳＥＭ：Ｓｃａｎｎｉｎｇ  Ｅｌｅｃｔｒｏｎ  Ｍｉｃｒｏｓｃｏｐｅ）は、電子ビームを試料上に走査し、電子ビームの照射によって発した電子を検知して試料表面の性状について走査電子像を取得するものである。
【０００３】
一方、電子ビームの画角は非常に小さく、照射位置が事前に分っていないと、電子ビームを特定の位置に照射するのは極めて困難である。
【０００４】
この為、電子顕微鏡装置では電子顕微鏡に比べ低倍率の光学顕微鏡を備えており、先ず試料を照明光（白色光）により照明し、光学顕微鏡により試料の観察を行い、照射位置を特定し、次に電子顕微鏡に切替え、照射位置に電子ビームを走査し、観察することが行われている。
【０００５】
走査電子像を得る場合は、試料から発せられた電子を蛍光体に入射させ、蛍光体が発する光を光電変換素子により電気信号に変換し、この電気信号に基づき走査電子像が取得されている。又、光学顕微鏡を用いた光学像も、試料から反射される光を光学顕微鏡用の光電素子で受光し、電気信号に変換し、この電気信号に基づき光学像が取得されている。
【０００６】
ところが、電子ビームの走査で得られる電子と前記試料から反射される光とでは、反射光のエネルギレベルが得られる電子のエネルギレベルに比べて著しく大きく、電子ビームを検出する光電素子に試料からの反射光が入射した場合、光電素子が飽和してしまい、或はＳ／Ｎが著しく小さくなって電子ビームを検出することができなくなってしまう。
【０００７】
この為、従来より、光学顕微鏡で観察する場合と、電子顕微鏡で観察する場合とでは、完全に切替え、光学顕微鏡で観察している状態では、電子顕微鏡では観察せず、又、電子顕微鏡で観察している状態では、光学顕微鏡では観察しない様な構造となっている。
【０００８】
例えば、光学顕微鏡と電子顕微鏡とが分離され、又光学顕微鏡の光軸と電子顕微鏡の光軸とは既知の関係で設けられ、試料を保持したテーブルが光学顕微鏡と電子顕微鏡との間を移動することで、光学像の観察位置と走査電子像の観察位置とが関連付けられる様になっている。
【０００９】
この為、従来の電子顕微鏡では、構造が複雑となっていると共に走査電子像と光学像とを同時に観察することができないという問題があった。
【００１０】
尚、走査電子像と光学像との同時観察を可能とした電子顕微鏡として特許文献１に示されるものがある。
【００１１】
特許文献１に示されるものでは、電子顕微鏡の光学系と光学顕微鏡の光学系とを同一光軸とし、照明光と電子ビームとを同時に照射し、電子検出器からの信号については、照明光の信号を直流成分として除去し、電子のみの信号を抽出する様にしている。
【００１２】
然し乍ら、上記した様に、照明光による直流成分が信号成分に対して著しく大きい為、実現は極めて困難である。
【先行技術文献】
【特許文献】
【００１３】
【特許文献１】特開平４−２８００５３号公報
【発明の概要】
【発明が解決しようとする課題】
【００１４】
本発明は斯かる実情に鑑み、走査電子像と光学像との同時観察が可能であり、而も構造も簡単な電子顕微鏡装置を提供するものである。
【課題を解決するための手段】
【００１５】
本発明は、電子ビームを走査する走査手段と、電子ビームが走査された試料から発せられる電子を検出する電子検出器を有し、該電子検出器からの検出結果に基づき走査電子像を得る走査型電子顕微鏡と、照明光を射出する発光源を有し、試料に照明光を照射して該試料からの反射光を受光して光学像を得る光学顕微鏡とを具備し、前記電子検出器は電子／光変換する蛍光体層と、該蛍光体層からの蛍光の波長帯域の全て或は略全てが透過する様に制限した波長フィルタと、該波長フィルタを透過した前記蛍光を受光し、光／電気変換する波長検出素子を有し、前記照明光の前記波長フィルタを透過する波長帯域の光量が前記走査電子像の劣化限度を超えない様にした電子顕微鏡装置に係るものである。
【００１６】
又本発明は、前記発光源はＬＥＤであり、該ＬＥＤの発光特性が前記波長フィルタの透過波長帯域に含まれるスペクトルの光強度が不透過波長帯域の光強度よりも小さくなっている電子顕微鏡装置に係り、又光学顕微鏡の照明光学系が照明用波長選択フィルタを有し、前記発光源はＬＥＤであり、前記照明用波長選択フィルタは、前記波長フィルタの透過波長帯に対応する波長の透過率を制限し、前記波長フィルタの不透過波長帯に対応する波長を透過とする電子顕微鏡装置に係るものである。
【００１７】
又本発明は、前記走査型電子顕微鏡、前記光学顕微鏡の作動を制御する制御部を具備し、該制御部は、前記光学顕微鏡が取得する光学画像の波長帯の内、前記照明用波長選択フィルタを透過した波長帯を増幅し、色調補正する電子顕微鏡装置に係るものである。
【００１８】
又本発明は、前記試料表面に検査光を照射し、異物からの散乱光を検出して異物検出を行う異物検出装置を更に具備し、前記検査光は前記波長フィルタの透過波長帯域から外れた波長を有する様に設定された電子顕微鏡装置に係るものである。
【００１９】
又本発明は、前記試料表面に干渉光を照射し、前記試料表面からの前記干渉光反射を用いて前記試料の高さ位置を検出する干渉計を更に具備し、前記干渉光は前記波長フィルタの透過波長帯域から外れた波長を有する様に設定された電子顕微鏡装置に係るものである。
【００２０】
又本発明は、前記試料表面に検査光を照射し、異物からの散乱光を検出して異物検出を行う異物検出装置と、前記試料表面に干渉光を照射し、前記試料表面からの前記干渉光反射を用いて前記試料の高さ位置を検出する干渉計とを具備し、前記検査光、前記干渉光は、前記波長フィルタの透過波長帯域から外れた波長を有し、前記検査光、前記干渉光が異なる波長帯を有する様に設定された電子顕微鏡装置に係るものである。
【発明の効果】
【００２１】
本発明によれば、電子ビームを走査する走査手段と、電子ビームが走査された試料から発せられる電子を検出する電子検出器を有し、該電子検出器からの検出結果に基づき走査電子像を得る走査型電子顕微鏡と、照明光を射出する発光源を有し、試料に照明光を照射して該試料からの反射光を受光して光学像を得る光学顕微鏡とを具備し、前記電子検出器は電子／光変換する蛍光体層と、該蛍光体層からの蛍光の波長帯域の全て或は略全てが透過する様に制限した波長フィルタと、該波長フィルタを透過した前記蛍光を受光し、光／電気変換する波長検出素子を有し、前記照明光の前記波長フィルタを透過する波長帯域の光量が前記走査電子像の劣化限度を超えない様にしたので、従来の構成を変えることなく、走査電子像と光学像との同時観察が可能となる。
【００２２】
又本発明によれば、前記発光源はＬＥＤであり、該ＬＥＤの発光特性が前記波長フィルタの透過波長帯域に含まれるスペクトルの光強度が不透過波長帯域の光強度よりも小さくなっているので、走査電子像の劣化を抑制してより鮮明な光学像が観察できる。
【００２３】
又本発明によれば、光学顕微鏡の照明光学系が照明用波長選択フィルタを有し、前記発光源はＬＥＤであり、前記照明用波長選択フィルタは、前記波長フィルタの透過波長帯に対応する波長の透過率を制限し、前記波長フィルタの不透過波長帯に対応する波長を透過とするので、走査電子像の劣化を抑制してより鮮明な光学像が観察できる。
【００２４】
又本発明によれば、前記走査型電子顕微鏡、前記光学顕微鏡の作動を制御する制御部を具備し、該制御部は、前記光学顕微鏡が取得する光学画像の波長帯の内、前記照明用波長選択フィルタを透過した波長帯を増幅し、色調補正するので、走査電子像の劣化を抑制してより鮮明で、而も自然色に近い状態の光学像が観察できる。
【００２５】
又本発明によれば、前記試料表面に検査光を照射し、異物からの散乱光を検出して異物検出を行う異物検出装置を更に具備し、前記検査光は前記波長フィルタの透過波長帯域から外れた波長を有する様に設定されたので、検査光が走査電子像観察に与える影響がなくなり、走査電子像の観察と異物検出、異物観察が同時に行え、又走査型電子顕微鏡による走査電子像の取得と異物検出装置による異物検出とを機械的に分離して行う必要がなく、構造が簡略化できる。
【００２６】
又本発明によれば、前記試料表面に干渉光を照射し、前記試料表面からの前記干渉光反射を用いて前記試料の高さ位置を検出する干渉計を更に具備し、前記干渉光は前記波長フィルタの透過波長帯域から外れた波長を有する様に設定されたので、干渉光が走査電子像観察に与える影響がなくなり、走査電子像観察と試料の高さ測定とが同時に行え、又走査型電子顕微鏡による走査電子像の取得と干渉計による試料の高さ測定とを機械的に分離して行う必要がなく、構造が簡略化できる。
【００２７】
又本発明によれば、前記試料表面に検査光を照射し、異物からの散乱光を検出して異物検出を行う異物検出装置と、前記試料表面に干渉光を照射し、前記試料表面からの前記干渉光反射を用いて前記試料の高さ位置を検出する干渉計とを具備し、前記検査光、前記干渉光は、前記波長フィルタの透過波長帯域から外れた波長を有し、前記検査光、前記干渉光が異なる波長帯を有する様に設定されたので、走査電子像観察と、光学像観察、異物検出、異物観察、試料の高さ測定とが同時に行え、更に、走査型電子顕微鏡による走査電子像の取得と光学顕微鏡による光学像の取得、異物検出装置による異物検出、干渉計による試料の高さ測定とを機械的に分離して行う必要がなく、構造が簡略化できるという優れた効果を発揮する。
【図面の簡単な説明】
【００２８】
【図１】本発明が実施される電子顕微鏡装置の概略構成図である。
【図２】該電子顕微鏡装置を他の方向から見た概略構成図である。
【図３】該電子顕微鏡装置に用いられる電子検出器の一例を示す説明図である。
【図４】（Ａ）は、波長検出素子の感度領域と蛍光体層が発する蛍光の波長帯域の関係を示す線図、（Ｂ）は、前記電子検出器に組込まれる波長フィルタの透過波長帯域を示す線図である。
【図５】他の蛍光体層を用いた場合の、発光される蛍光の波長帯域を示す線図である。
【図６】（Ａ）はＬＥＤ１３ａの発光特性を示す線図、（Ｂ）は他のＬＥＤ１３ｂの発光特性を示す線図である。
【図７】（Ａ）〜（Ｆ）は、ＬＥＤ１３ａを発光源とし、それぞれ照射強度の異なる光学写真を示した図であり、（Ａ）はＬＥＤ１３ａの照射強度を１とした場合、（Ｂ）は照射強度１０、（Ｃ）は照射強度１５、（Ｄ）は照射強度２０、（Ｅ）は照射強度３０、（Ｆ）は照射強度４０である場合の光学写真を示している。
【図８】（Ａ）〜（Ｆ）は、ＬＥＤ１３ａを発光源とし、それぞれ照射強度を異ならせた場合のＳＥＭ写真を示した図であり、（Ａ）はＬＥＤ１３ａの照射強度を１とした場合、（Ｂ）は照射強度１０、（Ｃ）は照射強度１５、（Ｄ）は照射強度２０、（Ｅ）は照射強度３０、（Ｆ）は照射強度４０である場合のＳＥＭ写真である。
【図９】（Ａ）〜（Ｆ）は、ＬＥＤ１３ｂを発光源とし、それぞれ照射強度の異なる光学写真を示した図であり、（Ａ）はＬＥＤ１３ｂの照射強度を１とした場合、（Ｂ）は照射強度１０、（Ｃ）は照射強度１５、（Ｄ）は照射強度２０、（Ｅ）は照射強度３０、（Ｆ）は照射強度４０である場合の光学写真を示している。
【図１０】（Ａ）〜（Ｆ）は、ＬＥＤ１３ｂを発光源とし、それぞれ照射強度を異ならせた場合のＳＥＭ写真を示した図であり、（Ａ）はＬＥＤ１３ｂの照射強度を１とした場合、（Ｂ）は照射強度１０、（Ｃ）は照射強度１５、（Ｄ）は照射強度２０、（Ｅ）は照射強度３０、（Ｆ）は照射強度４０である場合のＳＥＭ写真である。
【図１１】波長検出器に設けられた波長フィルタの透過率を示す線図である。
【発明を実施するための形態】
【００２９】
以下、図面を参照しつつ本発明の実施例を説明する。
【００３０】
先ず、図１、図２に於いて、本発明に係る電子顕微鏡装置１の概略を説明する。
【００３１】
該電子顕微鏡装置１は、走査型電子顕微鏡２、光学顕微鏡３、干渉計４、及び前記走査型電子顕微鏡２、前記光学顕微鏡３、前記干渉計４の作動を制御する制御部５を具備し、前記光学顕微鏡３の光軸６、前記走査型電子顕微鏡２の光軸７の交差する点に測定対象（試料）８が設置され、該測定対象８は前記光軸６に直交するＸ−Ｙの２方向に移動可能な検査ステージ９に載置されている。
【００３２】
前記走査型電子顕微鏡２の光軸７は前記光学顕微鏡３の光軸６に対して所定角度（例えば６０°）傾斜しており、前記光軸６と前記光軸７の交差する点が前記測定対象８の観察点となっている。前記光軸７に沿って電子ビームが前記測定対象８に照射され、又電子ビーム走査手段１０によって所定範囲を走査する様になっている。電子ビームが照射されることで、前記測定対象８から発せられた電子１１は電子検出器１２によって検出される。又、前記検査ステージ９は電子ビームの照射と同期してＸ−Ｙの２方向に移動し、電子ビームは前記測定対象８の所要範囲を走査する。
【００３３】
前記電子検出器１２の検出結果は前記制御部５に送出され、検出結果に基づき前記制御部５に於いて走査電子像が作成される。
【００３４】
前記光軸６上には照明光を発する発光源としてのＬＥＤ１３、第１ハーフミラー１４、第２ハーフミラー１５、対物レンズ１６が配置され、更に前記ＬＥＤ１３と前記第１ハーフミラー１４との間には波長フィルタ４０（後述）が設けられる。前記ＬＥＤ１３が発する照明光は、白色光又は白色光に近い光、即ち略全可視光波長帯域に亘る波長帯を含む光となっている。前記ＬＥＤ１３、前記第１ハーフミラー１４、前記波長フィルタ４０、前記対物レンズ１６等は、前記光学顕微鏡３の照明光学系を構成する。
【００３５】
前記ＬＥＤ１３は発光駆動部１７によって発光が制御される。前記ＬＥＤ１３から発せられた照明光は前記第１ハーフミラー１４、前記第２ハーフミラー１５、前記対物レンズ１６を通して前記測定対象８に照射され、該測定対象８で反射された照明光は前記第２ハーフミラー１５を通り、前記第１ハーフミラー１４で反射されて観察用ＣＣＤ１８で受光される様になっている。
【００３６】
前記干渉計４は光軸１９を有し、該光軸１９は前記第２ハーフミラー１５で偏向され、前記測定対象８上に到達する。前記光軸１９上に第３ハーフミラー２１が配設され、該第３ハーフミラー２１を挾んで一方に計測用ＣＣＤ２２、他方に参照鏡２３が配設されている。
【００３７】
計測用光源２４から前記光軸１９上に干渉用の単波長光が射出され、単波長光の一部は前記第３ハーフミラー２１を透過し、前記第２ハーフミラー１５で反射され、前記対物レンズ１６を通して前記測定対象８に照射される。該測定対象８で反射された単波長光は、前記第２ハーフミラー１５、前記第３ハーフミラー２１を通って前記計測用ＣＣＤ２２で受光される。又、前記第３ハーフミラー２１で反射された前記単波長光の残部は前記参照鏡２３で反射され、前記第３ハーフミラー２１を透過した後、前記計測用ＣＣＤ２２で受光される。該計測用ＣＣＤ２２は、前記測定対象８からの反射光と前記参照鏡２３からの反射光を受光し、両反射光の干渉により前記測定対象８の高さ方向の位置を測定する。
【００３８】
前記測定対象８の観察点のＸ−Ｙ位置と前記干渉計４で得られる高さ方向の位置とで観察点の３次元位置情報が得られる。
【００３９】
又、前記測定対象８の表面の異物を検出する異物検出装置２５が設けられる。
【００４０】
該異物検出装置２５は、異物検出用の検査光を照射する異物検出用光源２６と異物によって反射される散乱光を検出する散乱光検出器２７を有し、前記異物検出用光源２６の照射光軸２８は前記走査型電子顕微鏡２の光軸７とは異なった方向から前記測定対象８の表面に入射する様になっている。又、前記散乱光検出器２７の光軸２９は散乱光を受光し易い様に、図２の紙面に対して垂直な方向となっている。即ち、前記照射光軸２８と前記光軸６を含む平面と、前記光軸２９と前記光軸６を含む平面とは直交している。尚、図２は理解を容易にする為、前記照射光軸２８と前記光軸２９とが同一平面内にある様に示している。
【００４１】
前記測定対象８の表面に検査光を照射し、前記測定対象８の表面に異物が有った場合、異物により検査光が散乱され、前記散乱光検出器２７によって散乱光が検出される。検出可能な異物の大きさは、使用される検査光の波長によって異なるが、赤色系の光を使用した場合でも、前記光学顕微鏡３では観察が難しいサブミクロンの大きさの異物を検出可能である。更に、検査光の画角は、電子ビームより大きく、検査光の照射位置を特定すること、目的とする検査部位を探すことは電子ビームより簡単である。
【００４２】
次に、前記電子検出器１２について図３により説明する。
【００４３】
ガラス基板等の透明板３１に蛍光体層３２が形成されて電子／光変換部材（シンチレータ）３３が構成され、該電子／光変換部材３３に、波長フィルタ３４、ライトガイド３５、波長検出素子３６が順次連設され、更にこれらが遮光カバー３７で覆われることで一体化され、前記電子検出器１２を構成している。
【００４４】
前記蛍光体層３２に電子１１が入射することで、該蛍光体層３２が所定量域の波長（蛍光）を発光する。蛍光は前記波長フィルタ３４を通過し、更に前記ライトガイド３５を経て前記波長検出素子３６に到達する。該波長検出素子３６は蛍光を電気信号に変換する。従って、前記電子検出器１２は、電子／光／電気変換し、電子１１が入射すると、電気信号を発する。
【００４５】
以下、図４を参照して前記電子検出器１２について更に説明する。
【００４６】
図４（Ａ）中、曲線Ａは、前記蛍光体層３２から発せられる波長帯域を示し、曲線Ｂは前記波長検出素子３６が検出する波長帯域を示している。図示される様に、前記曲線Ｂの波長帯域の方が前記曲線Ａの波長帯域より広くなっており、前記波長検出素子３６に到達する波長帯域を前記曲線Ａ、即ち前記蛍光体層３２が発する蛍光の波長帯域に限定しても、感度上支障はない。
【００４７】
図４（Ｂ）中、曲線Ｃは前記波長フィルタ３４の波長透過特性を示している。該波長フィルタ３４は透過波長帯域Ｗを有し、該透過波長帯域Ｗは蛍光の波長帯域の殆どを含み、波長の透過を蛍光の波長帯に略限定するものである。例えば３００ｎｍ〜６００ｎｍの波長帯を透過する。尚、前記波長フィルタ３４で蛍光の波長の透過帯域を制限する場合は、蛍光の透過光量が９０％〜９５％以上となる様に設定する。
【００４８】
従って、前記計測用光源２４から発する干渉用の単波長光、前記異物検出用光源２６から発せられる検査光の波長を前記透過波長帯域Ｗから外れたものとすれば、電子ビームを走査し、走査電子像を観察しつつ、又前記干渉計４による前記測定対象８の高さ測定が行え、又走査電子像を観察すると同時に前記異物検出用光源２６からの検査光の照射により、異物の検出が行える。この時、前記計測用光源２４、前記異物検出用光源２６からの光が前記波長フィルタ３４を透過する透過率は０．００１％以下が好ましい。
【００４９】
例えば、前記異物検出用光源２６が発する検査光の波長が、図４（Ｂ）中、波長Ｄで示されるとすると、検査光は前記波長フィルタ３４によって遮断され、前記波長検出素子３６には到達しない。即ち、前記異物検出装置２５により前記測定対象８の表面の異物を検出、或は観察しつつ走査電子像の観察が可能である。
【００５０】
又、前記干渉計４では、前記計測用ＣＣＤ２２で得た像を、目視で観察する必要はないので、選択可能な波長帯域は広くなり、前記透過波長帯域Ｗ、前記波長Ｄ以外の波長を選択することが容易である。
【００５１】
次に、図５は、前記蛍光体層３２が発する蛍光の波長帯域の他の例を示しており、図５中曲線Ｅで示される波長帯域では、蛍光のピークは波長４００ｎｍに集中し、又波長帯域の広がりも、図４（Ａ）の曲線Ａで示した場合よりも狭くなっている。可視光の波長は３８０ｎｍ〜７８０ｎｍと言われており、前記曲線Ｅを持つ前記蛍光体層３２では、前記波長フィルタ３４の透過波長帯域Ｗを３８０ｎｍ〜５００ｎｍ程度に制限することで、蛍光の波長帯域の殆どをカバーでき、又透過波長帯域Ｗを３８０ｎｍ〜５００ｎｍ程度に制限することで、５００ｎｍ〜７８０ｎｍの波長帯域の可視光、即ち青系の光を除く可視光の使用が可能となる。
【００５２】
更に、５００ｎｍ〜７８０ｎｍの波長帯域の一部の波長帯を前記干渉計４の干渉光に、又残りの他の波長帯域を前記異物検出装置２５の検査光にそれぞれ割当てれば、前記干渉計４による高さ測定、前記異物検出装置２５による異物検出、及び前記走査型電子顕微鏡２による走査電子像の観察を同時に行うことができる。尚、上記した各波長帯域は、例示であって、本発明は上記各波長帯域に限定されるものではない。
【００５３】
又、図６（Ａ）、図６（Ｂ）は、それぞれ異なるＬＥＤ１３ａ，１３ｂが発する照明光の発光スペクトルの一例を示すものである。白色光（又は白色光に近い光）を発するＬＥＤでは、励起光の特性から青色の波長帯（２つのスペクトル共に４５０ｎｍ近辺）にピークを有する。ここで図６（Ａ）のスペクトルを有するものがＬＥＤ１３ａ、図６（Ｂ）のスペクトルを有するものがＬＥＤ１３ｂとする。
【００５４】
上記した様に、前記波長フィルタ３４の透過波長帯域は、Ｗが３８０ｎｍ〜５００ｎｍであり、５００ｎｍ〜７８０ｎｍの波長帯域の可視光をカットするので、前記ＬＥＤ１３ａ，１３ｂの光の大部分の波長帯域はカットされる。ところが、前記ＬＥＤ１３ａ，１３ｂ共に青色の波長帯域内（３８０ｎｍ〜５００ｎｍの波長帯域内）にピークを有するので、このピークの波長帯の光は、前記波長フィルタ３４を通過して前記波長検出素子３６に検出され、ノイズとなる。
【００５５】
上記図１で示した電子顕微鏡装置１に於いて、前記波長フィルタ４０を取外し、前記ＬＥＤ１３ａ，１３ｂからの照明光を直に照射した場合、即ち照明光の青色帯域の光がノイズ光として含まれる場合の、光学顕微鏡で撮像した光学写真と走査型電子顕微鏡で撮像した走査電子像写真（以下、ＳＥＭ写真と称す）との比較を示す。照明光は、波長選択されていないので、得られる光学写真は略自然色となる。尚、前記ＬＥＤ１３ａでは青色帯域の光量が大きいので、青みがかった色、前記ＬＥＤ１３ｂは赤色帯域の光量が多いので、赤みがかった色となる。
【００５６】
図７（Ａ）〜図７（Ｆ）は、それぞれ前記ＬＥＤ１３ａで照射した場合の光学写真であり、図８（Ａ）〜図８（Ｆ）は、それぞれ図７（Ａ）〜図７（Ｆ）に対応した照射状態で走査型電子顕微鏡により撮像したＳＥＭ写真である。
【００５７】
又、図７（Ａ）でのＬＥＤ１３ａの照射強度を１とした場合、図７（Ｂ）は照射強度１０、図７（Ｃ）は照射強度１５、図７（Ｄ）は照射強度２０、図７（Ｅ）は照射強度３０、図７（Ｆ）は照射強度４０となっている。
【００５８】
光学写真により判別すると、略照射強度１５からが観察に適した光学像となっている。一方照射強度が大きくなる程、ノイズが大きくなるのでＳＥＭ像は劣化していく。図８（Ａ）〜図８（Ｆ）によれば、前記ＬＥＤ１３ａの照射強度１５（図８（Ｃ）参照）程度迄鮮明であり、照射強度４０（図８（Ｆ）参照）では判別ができない程度となる。従って、ＬＥＤ１３ａの照射強度１５〜２０では、光学写真もＳＥＭ写真も、観察可能な鮮明さを有している。
【００５９】
尚、観察可能な限度を超えた、画像の劣化を画像の消失とし、又観察可能な限度の劣化を劣化限度と称する。尚、劣化限度は、前記ＬＥＤ１３が発光する照射光の色調、前記測定対象８の反射率、色によっても異なり、予備測定を行って劣化限度についてのデータを取得するのが好ましい。
【００６０】
而して、照明光について波長選択しない状態でも、照明光の照射強度を調整することで、即ち、蛍光体が発する光の強度（以下蛍光強度）：Ｓ、ＬＥＤ１３ａの照射強度：Ｎとの比、Ｓ／Ｎを所定の範囲又は値（本実施例の場合１／３）に設定することで、走査電子像と光学像との同時観察が可能となる。
【００６１】
尚、前記Ｓ／Ｎは、照明用に使用するＬＥＤ１３の発光特性、前記測定対象８の反射率等によっても変化するので、使用するＬＥＤ１３の特性に応じて最適なＳ／Ｎを設定する。
【００６２】
例えば、前記ＬＥＤ１３ｂの発光特性は、前記ＬＥＤ１３ａに対して５００ｎｍ以上の波長での光量が大きく、青色の波長帯域内のピーク値も赤色側のピーク値に対して小さくなっている。従って、同等の発光強度であれば、前記ＬＥＤ１３ｂを使用した場合の方がＳ／Ｎは大きいと予想される。
【００６３】
図９（Ａ）〜図９（Ｆ）は、それぞれ前記ＬＥＤ１３ｂで照射した場合の光学写真であり、図１０（Ａ）〜図１０（Ｆ）は、それぞれ図９（Ａ）〜図９（Ｆ）に対応した照射状態で走査型電子顕微鏡により撮像したＳＥＭ写真である。
【００６４】
又、図９（Ａ）でのＬＥＤ１３ｂの照射強度を１とした場合、図９（Ｂ）は照射強度１０、図９（Ｃ）は照射強度１５、図９（Ｄ）は照射強度２０、図９（Ｅ）は照射強度３０、図９（Ｆ）は照射強度４０となっている。
【００６５】
図７（Ａ）〜図７（Ｆ）と図９（Ａ）〜図９（Ｆ）とを比較した場合、光学写真では両者とも同様な傾向を示しているが、ＳＥＭ写真の図８（Ａ）〜図８（Ｆ）と図１０（Ａ）〜図１０（Ｆ）とを比較すると、照射強度４０の図８（Ｆ）と図１０（Ｆ）とを比較すると、図８（Ｆ）のＳＥＭ写真は劣化が著しいが図１０（Ｆ）のＳＥＭ写真は未だ判別可能であり、図１０（Ｆ）のＳＥＭ写真は図８（Ｅ）程度（照射強度３０）の劣化程度であると判断できる。
【００６６】
同様に観察すると、ＬＥＤ１３ｂの照射強度３０（図１０（Ｅ）参照）は、ＬＥＤ１３ａの照射強度２０（図８（Ｄ）参照）程度の鮮明さと判断できる。即ち、ＬＥＤ１３ｂを照明用光源として使用した場合は、照射強度１５〜３０で、光学写真もＳＥＭ写真も、観察可能な鮮明さを有していると判断できる。
【００６７】
これは、図６（Ｂ）が示すＬＥＤ１３ｂの発光特性で、赤色側帯域の光量（前記波長フィルタ３４でカットされる光量）が大きく、青色側帯域の光量（前記波長フィルタ３４を透過する光量）が小さいことと対応している。従って、照射強度を調整すると共に使用する照明用ＬＥＤ１３の発光特性を選択することで、より鮮明な光学像とＳＥＭ像とが得られ、走査電子像と光学像との同時観察が可能となる。
【００６８】
次に、前記電子顕微鏡装置１に波長フィルタ４０を用いた実施例を説明する。
【００６９】
該波長フィルタ４０の波長透過特性を、図６（Ａ）中に破線で示す。該波長フィルタ４０の波長透過特性は、例えば３８０ｍｎ〜５００ｎｍで透過率を５０％、５００ｎｍ以上で透過率を９０％以上（以下、９０％以上の透過を単に透過と称す）とする。尚、前記波長フィルタ４０の波長透過特性は、前記電子／光変換部材３３が発光する波長帯、或は前記波長フィルタ３４の波長透過特性に応じて適宜変更されることは言う迄もない。
【００７０】
前記波長フィルタ４０を使用することで、照射光の青色側帯域の光量が少なくなり、光学写真及びＳＥＭ写真の鮮明度が向上する。又、青色側帯域の光量が含まれているので、得られる光学像は自然色に近くなる。
【００７１】
更に、透過率を２０％或は１０％とすることもできる。この場合、前記制御部５に色調調整部（図示せず）を設け、青色側帯域の増幅率を大きくし、光学像の色調を補正することでＳＥＭ写真の鮮明度を増大させると共に得られる光学像をより自然色に近づけることができる。
【００７２】
前記波長フィルタ４０の透過率は、ＬＥＤ１３の発光特性を考慮して設定され、例えば、ＬＥＤ１３ａでは、青色側帯域の透過率を１０％とし、ＬＥＤ１３ｂでは透過率を２０％とする等である。
【００７３】
而して、前記光学顕微鏡３の照明光学系に設けられる波長選択フィルタに青色側帯域の光を所定％透過する様に設定することで、走査電子像と光学像との同時観察が可能となると共に自然色或は自然色に近い状態で光学像の観察が可能となる。
【００７４】
上記実施例では、光源の発光特性に合わせて前記波長フィルタ４０の波長透過特性を設定したが、前記波長フィルタ３４の波長透過特性に合わせて前記波長フィルタ４０の波長透過特性を設定してもよい。
【００７５】
例えば、波長フィルタ３４が図１１に示す様な波長透過特性を有し、照明光の青色成分の光量を１／３程度に抑えれば、他の色と同等程度の影響力（直流成分）となる。つまり、（ＬＥＤ１３ａ側の）波長フィルタ４０の青色の透過率を３３％程度にすることにより、ＬＥＤの青色帯域の照射強度Ｓを電子検出器１２の波長フィルタ３４の青に対する緑と赤の付近の透過率（この場合はＲ：Ｇ：Ｂ＝３：１：１程度）に合わせられる。これにより、緑の波長領域と赤の波長領域に対する青の波長領域の検出強度をある程度そろえることができる。
【００７６】
上記した様に、前記電子検出器１２が検知する波長帯域、前記検査光の波長帯域を分離し、更に走査電子像と光学像との同時観察を可能としたことで、電子顕微鏡装置１の利便性が更に向上する。
【００７７】
即ち、先ず前記光学顕微鏡３により前記測定対象８の光学像を観察し、所定の観察部位を特定する。光学像を観察しつつ、前記異物検出装置２５により検査光を照射し、散乱光により照射位置を更に限定する。次に、電子ビームを照射して観察部位の走査電子像の観察を行う。
【００７８】
前記光学顕微鏡３の光学系の画角、検査光の画角、電子ビームの画角は順次小さくなるので、電子ビームの照射位置の特定が容易になる。又、前記光学顕微鏡３による観察、前記異物検出装置２５による観察を同時に行えるので、観察部位特定時の修正、変更は、何時でも容易に可能である。
【００７９】
又、前記電子検出器１２の波長フィルタ３４を挿脱可能とすることもできる。これにより、同時観察が不要な際に、照明光を消した状態で電子顕微鏡装置１を使用し、より感度が高い観察が可能となる。これは、Ｓ／Ｎ比を向上させたい場合に有効である。
【００８０】
尚、前記異物検出装置２５で異物を検出した場合、前記電子検出器１２によって得られた情報から、スペクトル分析等により、異物の物性を得る等、異物の検査を行ってもよい。
【符号の説明】
【００８１】
１          電子顕微鏡装置
２          走査型電子顕微鏡
３          光学顕微鏡
４          干渉計
５          制御部
８          測定対象
１１        電子
１２        電子検出器
１３        ＬＥＤ
２４        計測用光源
２５        異物検出装置
２６        異物検出用光源
２７        散乱光検出器
３３        電子／光変換部材
３４        波長フィルタ
３６        波長検出素子
４０        波長フィルタ
【図１】
0005770434.tif 000002
【図２】
0005770434.tif 000003
【図３】
0005770434.tif 000004
【図４】
0005770434.tif 000005
【図５】
0005770434.tif 000006
【図６】
0005770434.tif 000007
【図１１】
0005770434.tif 000008
【図７】
0005770434.tif 000009
【図８】
0005770434.tif 000010
【図９】
0005770434.tif 000011
【図１０】
0005770434.tif 000012